(57)【特許請求の範囲】
【請求項１】
区分ごとに、時間的に中断されることなく記録するために記録円板束を備えた運行記録計であって、装置に固定された記録支台と、該記録支台に取り付けられ、記録円板束にて結合ストリップによって基板に固定された個々の記録円板を、前記記録円板束の記録搬送の経過中に、順次切り離す分離ナイフと、該分離ナイフに配属され、運行記録計の記録走行機構により駆動された受容体の上に固定的に緊締された残留記録円板束が引き続き搬送される間に、切り離された記録円板が当接するストッパとを有している形式のものにおいて、記録円板束（１２）を少なくとも部分的に覆う、ほぼ剛性的なフラップ（１６）が設けられており、該フラップ（１６）が記録平面に対して直角に旋回可能に当該運行記録計に支承されかつ記録位置にある記録円板束（１２）に対して平行な位置にもたらすことができ、前記フラップ（１６）に押さえ付け部材が配属され、該押さえ付け部材が前記記録円板束（１２）から分離された、前記ストッパ（３４）に当接する記録円板に、前記ストッパ（３４）のほぼすぐ横で弾性的に接触していることを特徴とする運行記録計。
【請求項２】
前記フラップ（１６）が、挿入された記録円板束（１２）のそのつど上に位置する記録円板（１８）の上へ、当該運行記録計（１）の記録機構が突出することを可能にする切り抜きを有している、請求項１記載の運行記録計。
【請求項３】
前記記録円板束（１２）を前記受容体（１４）と結合する緊締部材（１７）が前記フラップ（１６）に回転可能に支承されている、請求項１記載の運行記録計。
【請求項４】
弾性的な舌状部が前記フラップ（１６）に直接的に一体成形されている、請求項１記載の運行記録計。
【請求項５】
フレキシブルなプレート（４８）に舌状部（５１）が構成されかつ該フレキシブルなプレート（４８）が前記フラップ（１６）に固定されている、請求項１記載の運行記録計。
【請求項６】
フレキシブルな前記プレート（４８）が接合結合で前記フラップ（１６）に固定されている、請求項５記載の運行記録計。
【請求項７】
前記フラップ（１６）にフィンガ状の掴み部材（３９）が構成され、前記フラップ（１６）と弾性的な前記プレート（４８）とを接合したあとで前記掴み部材（３９）が前記舌状部（５１）の上に位置するように構成されている、請求項１記載の運行記録計。
【発明の詳細な説明】
【０００１】
【発明の属する技術分野】
本発明は区分ごとに、時間的に中断されることなく記録するために記録円板束を備えた運行記録計であって、装置に固定された記録支台と、該記録支台に取り付けられ、記録円板束にて結合ストリップによって基板に固定された個々の記録円板を、前記記録円板束の記録搬送の経過中に、順次切り離す分離ナイフと、該分離ナイフに配属され、運行記録計の記録走行機構により駆動された受容体の上に固定的に緊締された残留記録円板束が引き続き搬送される間に、切り離された記録円板が当接するストッパとを有している形式のものに関する。
【０００２】
【従来の技術】
周知のように、記録円板束は有利には、記録容量が比較的に狭く限られた個々の記録円板で可能であるよりも、対象となる過程を長い時間帯に亘って検出しようとする場合か又は所定の時間的な記録領域内でより良い記録の解像を達成しようとする場合に使用される。個々の記録円板がそれぞれ扇形の切り抜きを備えかつ互いに階段状に積み重ねられて配置された記録円板束の有利な使用例は、例えば１週間の記録を保証する、記録円板束の挿入によって操作が著しく簡易化される運行記録計である。
【０００３】
記録円板束で求められる、比較的に長い時間帯に亘って中断されない記録は、運行記録計の記録機構がほぼ一回転後に、扇形状の切り抜きに基づき、１つの記録円板から、記録円板束の次の記録円板の上へ滑り落ちることで達成される。したがって引き続く記録は時間的なずれなしで、新しい、まだ記録されていない記録円板の上で行われる。この記録円板は例えば紙ストリップによって記録経過にて最後の記録円板又は基板と結合されており、記録円板束が引き続き運動させられる間に、同様に記録された記録円板の切り抜きへ落下しかつ記録された記録円板と次の記録円板との間で有効である分離ナイフによって、記録円板束から切り離される。次いで切り離された記録円板と残った、引き続き回転する残留記録円板束もしくは基板に固定的に結合された回転ブッシュとの間の摩擦で、切り離された記録円板は定置のストッパまで運ばれる。このストッパの高さは、特に扁平な直方体形の組み込みケーシングと、記録円板束の出し入れに用いられる抽出しとを有する運行記録計の場合には比較的にぎりぎりに設計されている。これによって上に位置する記録円板が、特にすでに複数の記録円板が当該記録円板束から切り離されていると、運転に伴う振動によって又は個々の記録区分をコントロールしたあと又は切り離された記録円板の完全性をコントロールしたあとで抽出しを閉じる際に、ストッパを越えて滑動し、その結果、運行記録計の記録機構の妨げとなるか又は記録機構が働かないようにする惧れがある。又、湿気の吸収又は記録円板束を挿入する場合の不注意によっても、記録円板の扇形状の切り抜きに続く、結合ストリップを切り離したあとでいずれにしても不安的な記録円板区分が上方へ曲がりやすくなる。さらに扇形状の切り抜きのストッパに接触する縁領域は曲げられて構成され、記録され、ひいては切断しようとする記録円板が分離ナイフに妨げられずに達することが保証されるようになっている。
【０００４】
【発明が解決しようとする課題】
したがって本発明の課題は、抽出しを備えた運行記録計を記録担体として記録円板束を使用するために改良し、特に記録円板束から分離された記録円板と抽出し開口の上縁もしくは運行記録計内の記録機構との衝突の回避に関する機能的な確実性を高めることである。
【０００５】
【課題を解決するための手段】
本発明の課題は、記録円板束を少なくとも部分的に覆う、ほぼ剛性的なフラップが設けられており、該フラップが記録平面に対して直角に旋回可能に当該運行記録計に支承されかつ記録位置にある記録円板束に対して平行な位置にもたらすことができ、前記フラップに押さえ付け部材が配属され、該押さえ付け部材が前記記録円板束から分離された、前記ストッパに当接する記録円板に、前記ストッパのほぼすぐ横で弾性的に接触していることによって解決された。
【０００６】
有利な１実施例の特徴はフレキシブルなプレートに舌状部が構成されかつ前記フレキシブルなプレートが前記フラップに固定されていることである。
【０００７】
本発明の他の有利な構成は引用していない従属請求項に記載されている。
【０００８】
見出された解決は特に、旋回可能なフラップが記録円板束を出し入れする場合の妨げられない接近を可能にしかつフラップが比較的に剛性に構成されていることによって、湾曲した又は反った記録円板束に関する矯正機能を発揮するという利点をもたらす。この場合、抽出し内に旋回可能に支承されたフラップは適当な結合手段によって、抽出しもしくは記録円板束の記録支台に解離可能に保持されることができる。同時にフラップに配属された弾性的なプレートと記述した実施例によれば該プレートに一体成形された舌状部は特に機能的に重要な個所で、つまり切り離された記録円板のためのストッパのすぐ近くで押し付け部材として、しかも発揮された押し付け力にも拘わらず、切り離された記録円板全体が残った記録円板束との摩擦に基づき前記ストッパに向かって滑動するように作用する。さらに有利であることは、フラップと弾性的なプレートとが差込可能に互いに結合され、ひいてはフラップを上方へ旋回させた場合に舌状部が損傷した場合、例えば曲がってしまった場合に弾性的なプレートの容易な交換が可能であることである。さらに舌状部もしくは弾性的なプレートは、フラップを持ち上げるための掴み室が舌状部の上に設けられ、フラップに適当な掴み部材が構成されていると、上にある記録円板に対する接触保護として役立つ。
【０００９】
さらに本発明の有利な構成の特徴は、すでに述べた有利な実施例において、挿入しようとする記録円板束の走行ブッシュを固定するための緊締部材が時間的に正しく駆動された受容体に回転可能に支承されていることである。これにより同時にフラップは記録円板束の支持面に対して平行な状態に固定的に保持される。
【００１０】
以下、図面について本発明の実施例を詳細に説明する。
【００１１】
図１に示した運行記録計１は組み込み装置として構成されている。運行記録計１は図１に示されていない図示されていない案内レールに支承された抽出し３を有する直方体形のケーシング２を有している。正面側にて抽出し３はブラインド４で閉鎖されている。このブラインド４は抽出しが閉じられた場合にケーシング２に配属されたフロント壁５内へ調和がとれた状態で挿入される。フロント壁５においてはケーシング内に配置されたディスプレイに配属された切取り窓が設けられていることができる。複数のフロント壁を貫通するキーが正面に見える。これらのキーの内、図１には符号６、７、８及び９で示したものが図示されている。これらのキーは運転者と添乗員が少なくとも作業データを投入するため、抽出しを開放するため及び走行及び作業時間データを可視状態にするために役立つ。
【００１２】
符号１０と１１とでは抽出し３に設けられた透し孔が示されている。該透し孔１０、１１は挿入された記録円板束１２（図２）の取り出しを容易にする。符号１３は抽出し３の底を示している。底１３に統合された走行機構は受容体１４の時計時間的に正しい駆動に役立つ。受容体１４の上には抽出し３に挿入された記録円板束１２が固定的に緊締される。回動防止装置としては図１に示されていない、前記受容体１４に固定された、リング状の、連行歯を備えた波形ばねが役立つ。受容体１４と一体をなすセンタリングピンは受容しようとする記録円板束１２を方向づけるために設けられている。この場合、センタリングピンの外径は記録円板束１２の回転ブッシュ１５の内径に相応している。受容体１４の上に記録円板束１２を固定的に緊締することは抽出し３内に旋回可能に支承されたフラップ１６に回転可能に保持された緊締部材が波状ばねの力の作用のもとで、当該記録円板束１２の回転ブッシュ１５に作用し、センタリングピンに軸方向で係止される。
【００１３】
記録円板束１２の個々の記録円板がそのセンタリング開口を介して支承された回転ブッシュ１５は、公知のように適当な形式で当該記録円板束１２の基板に固定されている。さらに図２に示したように記録円板束の各個々の記録円板１２−上にある記録円板は符号１８で示され、次の記録円板は符号１９で示されている−は、結合ストリップ２０、有利には紙ストリップを介し、基板と結合されている。各記録円板は切抜き２１を有し、その切抜き２１の縁部フィールド２２は曲げられて構成され、これによって、結合ストリップ２０の切断に設けられた分離ナイフ２３（図１）が切抜き２１に落ち込んだあとでそれぞれ上にある記録円板１８に作用するようになっている。記録円板束１２の時間的に正しい挿入と記録円板の上に記録を時計時間的に正しく配属させるためには、記録円板は縁部に時間スケール２４を備えている。該時間スケール２４は速度記録フィールド２６の中央領域、例えば零線領域２５において繰り返される。
【００１４】
図１からは分離ナイフ２３がホルダ２７に固定されかつホルダ２７がプレート状の、記録支台を形成する支持体２８に結合されている。この支持体２８自体は適当な形式で抽出し３の底１３に配置されている。符号２９は記録円板束１２の時計時間的に正しい挿入に役立つ時計シンボル３０を備えたマーキングラインを表している。カバー構造３１は挿入コントロールとして働く充填ボックスを覆っている。別のカバー３２、３３は受容体１４を駆動する走行機構の、抽出し３において平らに分配された構成エレメントに対する塵埃保護及び接触防止手段として役立つ。符号３４ではホルダ２７に構成されたストッパが示されている。このストッパは記録円板束１２によって分離された記録円板が摩擦に基づき連行されて引き続き回転させられることを阻止する。
【００１５】
図１にはフラップ１６が、抽出し３に記録円板束１２が挿入されることなく、閉鎖もしくは緊締位置にある状態が示されている。フラップ１６は支承アーム３５と３６に構成された図示されていない２つの孔を用いて支承されている。前記孔には抽出し３に取り付けられた軸３７と３８とが配属されている。さらに取り扱いやすくなるために比較的に剛性に構成されたフラップ１６はフィンガ状に構成された、フラップ１６のフロント面から突出する掴み部材３９と、運行記録計１の記録機構を、挿入された記録円板束１２に作用させるために役立つ扇形の切抜き４０と、運行記録計１のタイプシールドを取り付けるために設けられた凹部４１とを有している。緊締部材１７に配属された矢印は場合によっては言葉による表示（緊締／解除）を備え、緊締部材１７の必要な操作を示している。操作側に掴みウェブ４２がかつ反対側に向き合ったカムスリット４４、４５を有するスリーブ状のバヨネット付加部４３が構成されている掴みウェブ４２は、本発明にとって重要ではないために図示されていない係止フックを備えた保持フランジ４６によりフラップ１６に回転可能に保持される。記録円板束１２を受容体１４に固定的に緊締する場合に緊締部材１７のバヨネット付加部４３は受容体１４に一体成形されたセンタリングピン内に係合する。その際、記録円板束１２の回転ブッシュ１５の端面は緊締部材１２のリング面４７に作用結合し、バヨネット結合の係止まで波形ばねの作用のもとでセンタリングピンの上を軸方向に移動させられる。
【００１６】
本発明によればフラップ１６には比較的に薄い弾性的なプレート４８が配属され、このプレート４８には適当な切欠き４９と、緊締部材１７の通過を可能にする開口５０と、舌状部５１とが構成されている。図２に示された背面図が示すように支承アーム３５、３６に配属された支持リブ５２と５３及び同様に安定化に役立つ脚部５４と５５が一体に成形されているフラップ１６に弾性的な前記プレート４８を固定することは、フラップ１６の脚部５４、５５の横に切欠き５６、５７が構成され、該切欠き５６、５７に、弾性的なプレート４８に一体成形された突起５８、５９が協働することで行われる。フラップ１６に設けられた透し孔６０と６１は切欠き５６、５７の射出成形技術的な製作を可能にする。符号６２と６３では支持リブ５２、５３に基づき必要な切欠きが示されている。
【００１７】
図１に示されているように、舌状部５１はストッパ３４のすぐ横で分離ナイフ２３に接触する。分離ナイフ２３は舌状部５１の平面に対し傾けられて配置されているので舌状部５１はホルダ２７から分離ナイフ２３が突出する個所だけにしか接触しないので、記録円板束１２から分離しようとする第１の記録円板１８は縁部フィールド２２が突出している場合にも舌状部５１に当接することなく舌状部５１の下へ走入することができる。さらに舌状部５１は付加的に、舌状部５１がストッパ３４とは反対側へ傾けられて又は湾曲させられて構成されていることができる。重要であることはストッパ３４に向かうフラップ１６の外側の制限が舌状部５１の十分な運動性を保証するようにフラップ１６が構成されていることである。その他は材料が適当に選択されかつ適当な材料厚さが与えられていると舌状部５１の具体的な構成をやめ、ストッパ３４におって決定された半径まで該プレート４８の輪郭が、フラップ１６と合致する輪郭から出発してほぼ記録円板束の直径に相応するようにフレキシブルなプレート４８を、構成することができる。
【図面の簡単な説明】
【図１】記録円板束の使用のために設けられた記録装置を有する運行記録計の出し入れ位置にある抽出しの平面図。
【図２】記録円板束における個々の記録円板の階段状の重なりと共に記録円板束を示した平面図。
【図３】フラップと弾性的なプレートとを、フラップに対する弾性的なプレートの組立に相応する関係で示した斜視図。
【符号の説明】
１  運行記録計、  ２  ケーシング、  ３  抽出し、  ４  ブラインド、  ５フロント壁、  ６，７，８，９  キー、  １０，１１  透し孔、  １２  記録円板束、  １３  底、  １４  受容体、  １５  回転ブッシュ、  １６  フラップ、  １７  緊締部材、  １８，１９  記録円板、  ２０  結合ストリップ、  ２１  切抜き、  ２２  縁部領域、  ２３  分離ナイフ、  ２４  時間スケール、  ２５  零線領域、  ２６  速度記録領域、  ２７  ホルダ、  ２８  支持部、  ２９  マーキングライン、  ３０  時計シンボル、  ３１  上部構造、  ３２，３３  カバー、  ３４  ストッパ、  ３７，３８  軸、  ３９  掴み部材、４０  切抜き、  ４１  凹部、  ４２  掴みウェブ、  ４３  バヨネット付加部、  ４４，４５  カムスリット、  ４６  保持フランジ、  ４７  リング面、４８  プレート、  ４９  切欠き、  ５０  開口、  ５１  舌状部、  ５２，５３  支持リブ、  ５４，５５  脚部、  ５６，５７  切欠き、  ５８，５９  突起、  ６０，６１  透し孔、  ６２，６３  切欠き
【図１】
0003953850.tif 000002
【図２】
0003953850.tif 000003
【図３】
0003953850.tif 000004